(57)【要約】【課題】従来にない遊技性を有する遊技機を提供する。【解決手段】ステージ３０上に、複数の障害突起３３、３３・・や、周縁側に開口する上面視Ｕ字状に延びるリブ３５を備えた回転テーブル４５Ａが上下方向を軸として回転可能に設けた。そして、ステージ３０上を転動する遊技球が回転テーブル４５Ａに接触すると、障害突起３３等に弾かれたり、ステージ３０上へ乗り上げたり、球受け部３４で一時的に受け止められて所定の回転姿勢まで運ばれたりと、従来にない態様で遊技球の挙動に影響が及ぼされるようにした。【選択図】図６
2019024940.tif 000002
【特許請求の範囲】
【請求項１】
上面が遊技球の転動面とされたステージと、
前記転動面上を転動する遊技球が接触することにより、当該遊技球の挙動に影響を及ぼす障害手段とが設けられた遊技機であって、
前記障害手段が、上下方向を軸として回転する円板部を有しており、前記円板部が、当該円板部上に前記転動面上を転動する遊技球が乗り上げ可能に設けられているとともに、
前記円板部の表面に、複数の障害突起と、前記円板部の周縁に開口するような上面視Ｕ字状に延びるリブとが設けられており、前記リブで囲まれた前記円板部上に乗り上げた遊技球を一時的に受け止め可能としていることを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機としては、流下してきた遊技球が衝突することで遊技球の流下方向を変化させるための障害部材を備えるとともに、その障害部材をモータ等により駆動させるようにしたもの（たとえば特許文献１）が考案されている。
【先行技術文献】
【特許文献】
【０００３】
【特許文献１】特開２０１５−１２００６０号公報
【発明の概要】
【発明が解決しようとする課題】
【０００４】
しかしながら、上記従来の障害部材を備えた遊技機では遊技内容に目新しさがなく、新たな遊技性が求められている。
【０００５】
そこで、本発明は、上記問題に鑑みなされたものであって、従来にない遊技性を有する遊技機を提供しようとするものである。
【課題を解決するための手段】
【０００６】
上記目的を達成するために、本発明のうち請求項１に記載の発明は、上面が遊技球の転動面とされたステージと、前記転動面上を転動する遊技球が接触することにより、当該遊技球の挙動に影響を及ぼす障害手段とが設けられた遊技機であって、前記障害手段が、上下方向を軸として回転する円板部を有しており、前記円板部が、当該円板部上に前記転動面上を転動する遊技球が乗り上げ可能に設けられているとともに、前記円板部の表面に、複数の障害突起と、前記円板部の周縁に開口するような上面視Ｕ字状に延びるリブとが設けられており、前記リブで囲まれた前記円板部上に乗り上げた遊技球を一時的に受け止め可能としていることを特徴とする。
なお、請求項１の「上下方向を軸として回転する」とは、厳密な鉛直方向を軸として回転するものに限らず、僅かに前後左右へ傾いた方向を軸として回転するものも含む。
【発明の効果】
【０００７】
本発明によれば、上下方向を軸として回転する円板部が、当該円板部上に転動面上を転動する遊技球が乗り上げ可能に設けられていたり、円板部の表面に、複数の障害突起と、円板部の周縁に開口するような上面視Ｕ字状に延びるリブとが設けられており、リブで囲まれた円板部上に乗り上げた遊技球を一時的に受け止め可能としていたりするような従来にない障害手段を設けている。したがって、斬新な態様で遊技球の挙動が変化する遊技を遊技者に提供可能な遊技機とすることができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】第１大入賞装置を前面側から示した説明図である。
【図５】回転テーブルを示した説明図である。
【図６】回転テーブルが受け止め姿勢でない状況で遊技球が回転テーブルに接触した場合の遊技球の挙動を示した説明図である。
【図７】回転テーブルが受け止め姿勢であり、遊技球が球受け部により受け止められた様子を示した説明図である。
【図８】球受け部から抜け出した遊技球が特定領域を通過する様子を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、遊技盤２を前面側から示した説明図である。図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の上寄りとなる位置には、「０」〜「９」の数字からなる図柄や種々のメッセージ等を表示するための表示部６ａ、６ａを備えた表示装置６が設置されている。さらに、表示装置６の下方で遊技領域１６の中央部から下部にかけて、遊技球が進入する進入口５１、５１、各進入口５１を開閉する羽根部材５２、進入口５１、５１から進入した遊技球を合流させる合流路５３、５３、合流路５３、５３の下流端から分岐しつつ下方へ延びる遊技球流路５４、５４、遊技球を種々の分岐路へ振り分けるための複数の電動装置、種々の分岐路へ振り分けられつつも遊技球が最終的に到達するステージ３０、ステージ３０上に設けられ、上下方向を軸として回転する回転テーブル４５Ａ、４５Ｂ、及びステージ３０の前側に設けられた遊技球が通過可能な特別領域５６やアウト口５７、５７等を備えた第１大入賞装置２６が設置されている。
【００１２】
また、表示装置６及び第１大入賞装置２６の左方には、遊技球が流下可能で、遊技球が入賞可能な抽選入賞口１９、及び複数の普通入賞口８４、８４・・等が設置された左打ち用スペースＳＬが形成されており、この左打ち用スペースＳＬを流下させることで、抽選入賞口１９への遊技球の入賞が狙えるようになっている。一方、表示装置６及び第１大入賞装置２６の右方にも遊技球が流下可能な右打ち用スペースＳＲが形成されている。この右打ち用スペースＳＲには、遊技球が通過可能なゲート部材２０、開閉動作する可動片を有する可動入賞装置１７、遊技球の特別領域５６の通過に起因して開成する第２大入賞装置１８、及び普通入賞口８４が設置されている。そして、この右打ち用スペースＳＲを流下させることで、ゲート部材２０を通過させたり、開動作している可動入賞装置１７へ入賞させたり、開成している第２大入賞装置１８へ入賞させたりすることができるようになっている。なお、左打ち用スペースＳＬや右打ち用スペースＳＲには、多数の遊技釘が植設されている。また、第１大入賞装置２６への遊技球の入賞は、左打ち用スペースＳＬ及び右打ち用スペースＳＲのどちらを流下させても、ほぼ同じ確率で狙うことができる。さらに、遊技領域１６の最下端には、当該位置まで到達した遊技球を遊技領域１６外へ排出するための排出口４７が設けられている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、表示装置６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂左打ちを行い）、抽選入賞口１９への遊技球の入賞を狙う。また、遊技球が抽選入賞口１９へ入賞すると、表示装置６に所定の小当たり表示がなされた後に、羽根部材５２、５２が作動して進入口５１、５１が開放される（すなわち、第１大入賞装置２６が開成する）。そこで、左打ちを継続し、第１大入賞装置２６の左側から遊技球の第１大入賞装置２６への進入（第１大入賞装置２６への入賞）、ひいては特別領域５６の通過を狙う。そして、遊技球が特別領域５６を通過すると、表示装置６に所定のボーナス獲得表示がなされた後、今度は第２大入賞装置１８が所定回数にわたり断続的に開成する所謂「大当たり状態」が生起する。そこで、遊技者は、遊技球を右打ち用スペースＳＲへ打ち込んで流下させる所謂右打ちを行い、断続的に開成する第２大入賞装置１８への遊技球の入賞を狙う。なお、第１大入賞装置２６へ進入したものの、特別領域５６を通過できない遊技球は、何れかのアウト口５７を介して遊技盤２の後面側へ排出される。
【００１６】
また、大当たり状態が終了すると、ゲート部材２０への遊技球の通過検知に起因して実行される所謂当たり抽選の結果が「当たり」となりやすく、可動入賞装置１７が頻繁に開状態となって遊技球の入賞が可能となる所謂サポート状態が生起する。そこで、遊技者は右打ちを継続し、ゲート部材２０への遊技球の通過、及び頻繁に開状態となる可動入賞装置１７への遊技球の入賞を狙う。そして、遊技球が可動入賞装置１７へ入賞すると、表示装置６に所定の小当たり表示がなされた後に、羽根部材５２、５２が作動して進入口５１、５１が開放されるため、右打ちを継続し、第１大入賞装置２６の右側から遊技球の第１大入賞装置２６への進入、ひいては特別領域５６の通過を狙う。
【００１７】
上記サポート状態は、羽根部材５２、５２が作動することによる第１大入賞装置２６の開成回数が所定回数に達するまで継続される。したがって、サポート状態中に遊技球が特別領域５６を通過する度に、大当たり状態の生起、及び大当たり状態の終了に伴うサポート状態の生起がループすることになる。一方、サポート状態中に遊技球が特別領域５６を通過することなく、第１大入賞装置２６の開成回数が所定回数に達すると、サポート状態は終了となり、ゲート部材２０への遊技球の通過検知に起因して実行される当たり抽選の結果が「当たり」となりにくく（或いは「当たり」とならず）、可動入賞装置１７がほぼ開状態とならない（或いは開状態になることがない）遊技開始当初の通常状態へ復帰する。そのため、遊技者は、右打ちを止めて左打ちを行う上記遊技へと戻る。
【００１８】
さらに、第１大入賞装置２６内の回転テーブル４５Ａ、４５Ｂは、第１大入賞装置２６へ遊技球が進入した／しないや、遊技状態が通常状態／サポート状態の何れであるか等に拘わらず、電源投入時から一定の動作パターンにしたがって常に動作している（本実施形態では、左側の回転テーブル４５Ａは上面視で右回りに、右側の回転テーブル４５Ｂは上面視で左回りに夫々回転しつづけている）。そして、ステージ３０上を転動する遊技球が接触することで、当該遊技球を障害突起３３（図５に示す）によって弾いたり、球受け部３４（図５に示す）によって受け止めて特別領域５６側へ導いたりと、遊技球の挙動に影響を及ぼすようになっている。
【００１９】
（回転テーブルの説明）
ここで、本発明の要部となる回転テーブル４５Ａについて、図４〜図８にもとづき詳細に説明する。
図４は、第１大入賞装置２６を前面側から示した説明図である。図５は、回転テーブル４５Ａを示した説明図である。図６は、回転テーブル４５Ａが受け止め姿勢でない状況で遊技球Ｐが回転テーブル４５Ａに接触した場合の遊技球の挙動を示した説明図である。図７は、回転テーブル４５Ａが受け止め姿勢であり、遊技球Ｐが球受け部３４により受け止められた様子を示した説明図である。図８は、球受け部３４から抜け出した遊技球Ｐが特定領域５６を通過する様子を示した説明図である。
【００２０】
回転テーブル４５Ａは、上面視円形の円板部３１と、円板部３１の中心から後方へ延びる軸部３２とを備えてなり、円板部３１の表面には、４つの障害突起３３、３３・・と１つの球受け部３４とが、円板部３１の外周縁に沿って等間隔で設けられている。各障害突起３３は、円板部３１の表面から上方へ突出しており、障害突起３３、３３同士の間には、遊技球の通過に十分な間隔がとられていて、障害突起３３、３３間を介して、遊技球が円板部３１上へ乗り上げ可能となっている。一方、球受け部３４は、円板部３１の表面から上方へ突出したリブ３５を備えている。当該リブ３５は、円板部３１の周縁側に開口するような上面視Ｕ字状に延びており、その開口幅は、遊技球のリブ３５で囲まれる円板部３１上への乗り上げ（すなわち、球受け部３４内への進入）に十分な幅となっている。また、リブ３５の上方への突出高さは、球受け部３４内へ進入した遊技球の一時的な受け止めに十分な高さとなっている。さらに、球受け部３４（厳密に言うと、リブ３５の開放側の端部）と周方向で隣り合う障害突起３３との間には、障害突起３３、３３間と同様、遊技球の通過に十分な間隔がとられており、球受け部３４と障害突起３３との間を介しても、遊技球は円板部３１上へ乗り上げ可能となっている。
【００２１】
そして、上記回転テーブル４５Ａは、ステージ３０の左部において、ステージ３０上面に円板部３１が露出し、且つ、ステージ３０上を転動する遊技球が円板部３１上に乗り上げ可能な状態で、上下方向を軸として回転可能に設けられている。そして、ステージ３０内部へ延びる軸部３２は、回転機構（図示せず）を介してステージ３０内部に設置されたモータ（図示せず）に連結されており、当該モータの駆動に伴い上面視右回りに回転するようになっている。一方、回転テーブル４５Ｂは、回転テーブル４５Ａと同じ構成とされており、ステージ３０の右部において上下方向を軸として回転可能に設けられている。また、回転テーブル４５Ｂの軸部は、回転機構を介して回転テーブル４５Ａと同じモータに連結されているものの、モータの駆動に伴い回転テーブル４５Ａとは逆方向、すなわち上面視左回りに回転するようになっている。
【００２２】
また、ステージ３０の上面は、前方へむかって下降傾斜する傾斜面とされており、ステージ３０の前縁に隣接した位置で、左右の回転テーブル４５Ａ、４５Ｂの左右方向で中央となる位置に特別領域５６が設けられている。また、ステージ３０の前縁よりも前側には、特別領域５６以外の位置に到達してステージ３０上から落下する遊技球を、特別領域５６の左右に設けられたアウト口５７、５７の何れかへ回収するためのカバー部材５８が設けられている。
【００２３】
さらに、ステージ３０の後端には、上方へ垂直に起立する後壁部３６が立設されており、当該後壁部３６の左部で回転テーブル４５Ａの後側となる位置には、主に第１大入賞装置２６の左側を流下してきた遊技球が到達する第１送出口３７が開設されている。また、この第１送出口３７から上流側へ延びる第１の遊技球流路５４Ａには、第１送出口３７の手前で遊技球の流下方向を前後方向とするための湾曲部３７ａが設けられており、第１送出口３７からステージ３０上へ送り出された遊技球は、略１００％の確率で回転テーブル４５Ａに接触するようになっている。
【００２４】
一方、後壁部３６における左右の回転テーブル４５Ａ、４５Ｂの左右方向で中央となる位置、すなわち特別領域５６の後側となる位置には、主に第１大入賞装置２６の右側を流下してきた遊技球が到達する第２送出口３８が開設されている。この第２送出口３８から上流側へ延びる第２の遊技球流路５４Ｂには、第２送出口３８の手前で遊技球の流下方向を前後方向とするための湾曲部３８ａが設けられており、第２送出口３８からステージ３０上へ送り出された遊技球は、極めて高い確率で特別領域５６を通過するようになっている。
【００２５】
ここで、上述したような回転テーブル４５Ａを備えた第１大入賞装置２６において、遊技球が第１送出口３７からステージ３０上へと送り出された場合の遊技球の挙動に関し、図６〜図８をもとに説明する。
まず、第１の遊技球流路５４Ａを流下してきた遊技球Ｐは、第１送出口３７からステージ３０上へ送り出されると、上述したように極めて高い確率で回転テーブル４５Ａに接触する。このとき、球受け部３４が第１送出口３７側を向いている受け止め姿勢でないと、障害突起３３に衝突したり、図６に示すように障害突起３３、３３間から回転テーブル４５Ａ上へ乗り上げた上で障害突起３３やリブ３５に衝突したりして、回転テーブル４５Ａの左右へ弾かれる。そして、そのように弾かれた遊技球Ｐは、ほぼ特定領域５６へ到達することなく、ステージ３０上から落下してアウト口５７に回収される（特定領域５６を通過する確率は２〜３％程度）。
【００２６】
一方、遊技球Ｐが回転テーブル４５Ａに接触する際、回転テーブル４５Ａが上記受け止め姿勢であると、図７に示すように、遊技球Ｐは、回転テーブル４５Ａ上へ乗り上げて球受け部３４で受け止められる。その後、図８に示すように球受け部３４が所定の回転位相に位置するまで回転したことをもって（すなわち回転テーブル４５Ａが開放姿勢になると）、遊技球Ｐは球受け部３４から抜け出し、再びステージ３０上を転動する。そして、その際の転動ルートは、特定領域５６へ向かうようなルートとなり、高い確率（略９５％）で特定領域５６を通過する。
【００２７】
（本実施形態のパチンコ機による効果）
以上のような構成を有するパチンコ機１によれば、ステージ３０上に、複数の障害突起３３、３３・・や、周縁側に開口する上面視Ｕ字状に延びるリブ３５を備えた回転テーブル４５Ａが上下方向を軸として回転可能に設けられており、ステージ３０上を転動する遊技球が回転テーブル４５Ａに接触すると、障害突起３３等に弾かれたり、ステージ３０上へ乗り上げたり、球受け部３４で一時的に受け止められて所定の回転姿勢まで運ばれたりと、従来にない態様で遊技球の挙動に影響が及ぼされるようになっている。したがって、斬新な遊技を遊技者に提供可能な遊技性の高いパチンコ機１とすることができる。
【００２８】
（本発明の変更例について）
なお、本発明の遊技機に係る構成は、上記実施形態に何ら限定されるものではなく、遊技機全体の構成は勿論、ステージや障害手段等に係る構成についても、本発明の趣旨を逸脱しない範囲で必要に応じて適宜変更可能である。
【００２９】
たとえば、上記実施形態では、大入賞装置の内部にステージや障害手段を設けているが、所謂センター役物の一部として等、大入賞装置の内部以外の場所にステージや障害手段を設けてもよい。
また、上記実施形態では、２つの障害手段を設けているが、１つであっても何ら問題はないし、３つ以上設けることも当然可能である。そして、障害手段のステージ上での設置位置、円板部の回転方向等については、言うまでもなく設計変更可能である。なお、上記実施形態において、回転テーブルは上下方向を軸として回転するように設けられているが、上下方向から僅かに前後左右の何れかへ傾いた方向を軸として（たとえば、前側に僅かに傾いた方向を軸として）回転するように設けてもよい。
【００３０】
さらに、障害手段における障害突起の数や位置、リブの数等についても適宜変更可能であり、たとえば円板部の中央に障害突起を設けたり、球受け部を複数個設けたりしてもよい。
さらにまた、上記実施形態では、球受け部で遊技球を１個しか受け止められないように構成しているが、複数個の遊技球を同時に受け止め可能な（たとえば、径方向に２つ受け止め可能な深いタイプの球受け部や、周方向に２つ受け止め可能な幅広の球受け部が考えられる）大型の球受け部を設けることも可能である。
またさらに、球受け部で１個の遊技球を受け止めるような構成においても、球受け部の径方向での深さや周方向での幅を調整することにより、球受け部から抜け出る際の遊技球のルートにばらつきが出るようにしてもよい。
【００３１】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、ステージ、障害手段、円板部、障害突起、リブ等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３２】
１・・パチンコ機（遊技機）、２６・・第１大入賞装置、３０・・ステージ、３１・・円板部、３２・・軸部、３３・・障害突起、３４・・球受け部、３５・・リブ、４５Ａ、４５Ｂ・・回転テーブル（障害手段）、５６・・特別領域。
【図１】
2019024940.tif 000003
【図２】
2019024940.tif 000004
【図３】
2019024940.tif 000005
【図４】
2019024940.tif 000006
【図５】
2019024940.tif 000007
【図６】
2019024940.tif 000008
【図７】
2019024940.tif 000009
【図８】
2019024940.tif 000010